(57)【要約】【課題】小型で故障を起こし難く信頼性の高いスイッチ一体型の照明装置を提供する。【解決手段】照明装置１０は、光源モジュール２０にてＬＥＤ２２と電気的に接続された接点２３，２４と、スライド式のスイッチノブ３０に設けられた中継端子４０，５０の接点４３，４４，５３，５４と、ロアケース６０に設けられたバスバー７１〜７３の接点７１ａ，７２ａ，７３ａとを備え、接点７１ａ，７２ａ，７３ａは外部接続端子７１ｂ，７２ｂ，７３ｂと電気的に接続される。スイッチノブ３０はロアケース６０に対してスライド自在に取り付けられ、スイッチノブ３０のスライド位置に対応して、接点２３，２４と接点７１ａ，７２ａ，７３ａとが接点４３，４４，５３，５４を介して電気的に接続される。各接点２３，２４，４３，４４，５３，５４，７１ａ，７２ａ，７３ａは、ロアケース６０の厚み方向に重なるように配置形成されている。【選択図】  図１
2014094678.tif 000002
【特許請求の範囲】
【請求項１】
光源と電気的に接続された光源用接点とを有する光源モジュールと、
スライド式のスイッチノブに設けられた中継用接点と、
ケースに設けられ、外部接続端子と電気的に接続されたケース用接点と
を備えたスイッチ一体型の照明装置であって、
前記光源モジュールは前記ケースに取付固定され、
前記スイッチノブは前記ケースに対してスライド自在に取り付けられ、
前記スイッチノブのスライド位置に対応して、前記光源用接点と前記ケース用接点とが前記中継用接点を介して電気的に接続され、
前記光源用接点と前記中継用接点と前記ケース用接点とは、前記ケースの厚み方向に重なるように配置形成されている照明装置。
【請求項２】
前記光源用接点と前記中継用接点と前記ケース用接点とを結ぶ軸上から離れた箇所に前記光源が配置形成されている、
請求項１に記載の照明装置。
【請求項３】
前記光源モジュールは、
平板状のベース部と、
前記ベース部の表面側に搭載された前記光源と、
前記ベース部の裏面側に配置形成された前記光源用接点と
を備え、前記ベース部は前記ケースに取付固定され、
前記スイッチノブは、
平板状のスライド部と、
前記スライド部の両面側に配置形成された前記中継用接点と
を備え、
前記ケース用接点は前記光源用接点と対向する位置に配置形成されている、
請求項１または請求項２に記載の照明装置。
【請求項４】
前記中継用接点は、
前記スライド部の表面側から前記光源用接点に向かって第１方向に突出した第１接点部と、
前記スライド部の裏面側から前記ケース用接点に向かって第２方向に突出した第２接点部と
を備え、
前記第１方向と前記第２方向とは、互いに逆向きであると共に、前記スイッチノブのスライド方向に対して垂直方向であり、
前記第１接点部と前記第２接点部とは同一軸上に配置されている、
請求項３に記載の照明装置。
【請求項５】
前記中継用接点は、
弾性板材を前記光源用接点に向かって山形に折り曲げて形成された第１ばね部と、
弾性板材を前記ケース用接点に向かって山形に折り曲げて形成された第２ばね部とを備え、
前記第１ばね部の弾性力によって前記光源用接点へ印加される付勢力により、前記光源用接点に前記第１ばね部を接触させて電気的に接続し、
前記第２ばね部の弾性力によって前記ケース用接点へ印加される付勢力により、前記ケース用接点に前記第２ばね部を接触させて電気的に接続する、
請求項４に記載の照明装置。
【発明の詳細な説明】
【技術分野】
【０００１】
本発明は照明装置に係り、詳しくは、スイッチ一体型の照明装置に関するものである。
【背景技術】
【０００２】
従来より、光源とその点灯・消灯を切り替えるためのスイッチとが同一のケースに設けられたスイッチ一体型の照明装置（スイッチ付き照明装置）が広く使用されている。
特許文献１には、光源が表面に搭載された回路基板と、回路基板の一側部に設けられた接続部と、スイッチノブに固定される端子とを備え、スイッチノブが可動することにより接続部と端子との電気接続が行われる車両用室内照明灯が開示されている。
【０００３】
特許文献２には、スライド式のスイッチノブに保持されるＬＥＤ本体と、ＬＥＤ本体の裏面側に設けられた端子部に接触するバスバーとを備え、ＬＥＤ本体をバスバーに押し付けるばね部がスイッチノブに設けられたスイッチ一体型ＬＥＤランプ装置が開示されている。
【先行技術文献】
【特許文献】
【０００４】
【特許文献１】特開２０１２−１７４６５２号公報
【特許文献２】特開２０１１−１４８４６２号公報
【発明の概要】
【発明が解決しようとする課題】
【０００５】
特許文献１の技術では、光源と接続部とが回路基板の平面方向に離間して配置されているため、回路基板の面積が大きくなり、その回路基板を収容することから、車両用室内照明灯が大型化するという問題がある。
特許文献２の技術では、スイッチノブに保持されたＬＥＤ本体の端子部が、バスバーに対して摺動するため、ＬＥＤ本体に過剰な力が印加されて故障を起こし易く、信頼性に乏しいという問題がある。
【０００６】
本発明は前記問題を解決するためになされたものであって、その目的は、小型で故障を起こし難く信頼性の高いスイッチ一体型の照明装置を提供することにある。
【課題を解決するための手段】
【０００７】
本発明者らは前記課題を解決するために鋭意検討を重ねた結果、下記のように本発明の各局面に想到した。
【０００８】
＜第１の局面＞
第１の局面は、
光源と電気的に接続された光源用接点とを有する光源モジュールと、
スライド式のスイッチノブに設けられた中継用接点と、
ケースに設けられ、外部接続端子と電気的に接続されたケース用接点と
を備えたスイッチ一体型の照明装置であって、
光源モジュールはケースに取付固定され、
スイッチノブはケースに対してスライド自在に取り付けられ、
スイッチノブのスライド位置に対応して、光源用接点とケース用接点とが中継用接点を介して電気的に接続され、
光源用接点と中継用接点とケース用接点とは、ケースの厚み方向に重なるように配置形成されている。
【０００９】
第１の局面では、光源用接点と中継用接点とケース用接点とがケースの厚み方向に重なるように配置形成されているため、ケースの厚み方向に対して垂直な方向の寸法を小さくすることが可能であり、照明装置を小型化できる。
また、第１の局面では、光源モジュールがケースに取付固定されており、スイッチノブがケースおよび光源モジュールに対してスライドするため、光源に過剰な力が印加されて故障を起こすのを防止可能であり、照明装置の信頼性を高めることができる。
【００１０】
＜第２の局面＞
第２の局面は、第１の局面において、光源用接点と中継用接点とケース用接点とを結ぶ軸上から離れた箇所に光源が配置形成されている。
第２の局面では、スイッチノブの操作時における各接点（光源用接点、中継用接点、ケース用接点）の振動や、スイッチノブのクリック感を出すための機構の振動に伴って発生する応力が、各接点を結ぶ軸上からから離れた箇所に配置形成されている光源には印加され難いため、光源に過剰な力が印加されて故障を起こすのを更に確実に防止可能であり、第１の局面の作用・効果を高めることができる。
【００１１】
＜第３の局面＞
第３の局面は、第１の局面または第２の局面において、光源モジュールは、平板状のベース部と、ベース部の表面側に搭載された光源と、ベース部の裏面側に配置形成された光源用接点とを備えて、ベース部はケースに取付固定され、スイッチノブは、平板状のスライド部と、スライド部の両面側に配置形成された中継用接点とを備え、ベース部はケースに取付固定され、ケース用接点は光源用接点と対向する位置に配置形成されている。
第３の局面では、光源および光源用接点がベース部に設けられ、中継用接点がスイッチノブのスライド部の両面側に配置形成されているため、第１の局面または第２の局面の前記作用・効果が確実に得られる。
【００１２】
＜第４の局面＞
第４の局面は、第３の局面において、中継用接点は、スライド部の表面側から光源用接点に向かって第１方向に突出した第１接点部と、スライド部の裏面側からケース用接点に向かって第２方向に突出した第２接点部とを備え、第１方向と第２方向とは、互いに逆向きであると共に、スイッチノブのスライド方向に対して垂直方向であり、第１接点部と第２接点部とは同一軸上に配置されている。
第４の局面では、光源用接点およびケース用接点に対して、中継用接点を傾かせることなく確実に接触させることが可能であり、各接点の電気的接続を良好にすることができる。
【００１３】
＜第５の局面＞
第５の局面は、第４の局面において、
中継用接点は、
弾性板材を光源用接点に向かって山形に折り曲げて形成された第１ばね部と、
弾性板材をケース用接点に向かって山形に折り曲げて形成された第２ばね部とを備え、
第１ばね部の弾性力によって光源用接点へ印加される付勢力により、光源用接点に第１ばね部を接触させて電気的に接続し、
第２ばね部の弾性力によってケース用接点へ印加される付勢力により、ケース用接点に第２ばね部を接触させて電気的に接続する。
【００１４】
第５の局面では、中継用接点に第１ばね部および第２ばね部を備えることにより、光源用接点およびケース用接点に対して中継用接点を更に確実に接触させることが可能であり、第４の局面の作用・効果を高めることができる。
【図面の簡単な説明】
【００１５】
【図１】本発明を具体化した一実施形態の照明装置１０の分解斜視図。
【図２】照明装置１０の構造を示す一部断面要部正面図。
【図３】照明装置１０の光源モジュール２０の下面図。
【図４】図４（Ａ）は、照明装置１０のスイッチノブ３０の上面図。図４（Ａ）は、スイッチノブ３０の下面図。
【図５】スイッチノブ３０の右側面図であり、図４に示す矢印Ｆ方向から見た側面図。
【図６】照明装置１０のロアケース６０の要部上面図（要部底面図）。
【図７】照明装置１０のスライドスイッチＳＷの構成（第１スライド位置、第１オン状態）を示す回路図。
【図８】照明装置１０のスライドスイッチＳＷの構成（第２スライド位置、第２オン状態）を示す回路図。
【図９】照明装置１０のスライドスイッチＳＷの構成（第３スライド位置、オフ状態）を示す回路図。
【発明を実施するための形態】
【００１６】
以下、本発明を具体化した一実施形態の照明装置１０について図面を参照しながら説明する。
尚、各図面では、説明を分かり易くするために、照明装置１０の構成部材の寸法形状および配置箇所を誇張して模式的に図示してあり、各構成部材の寸法形状および配置箇所が実物とは異なっている。
【００１７】
図１〜図９に示すように、本実施形態の照明装置１０は、光源モジュール２０（ベース部２１、取付部２１ａ，２１ｂ、取付孔２１ｃ，２１ｄ、ＬＥＤ２２、プラス側接点２３、マイナス側接点２４）、スイッチノブ３０（ツマミ部３１、スライド部３２、スライド孔３２ａ）、中継端子４０（モジュール側端子４１、ケース側端子４２、接点４３，４４、接続端子４５，４６）、中継端子５０（モジュール側端子５１、ケース側端子５２、接点５３，５４、接続端子５５）、ロアケース６０（係合爪６１、取付部６２，６３、雌ネジ穴６２ａ，６３ａ）、バスバー７１〜７３（接点７１ａ，７２ａ，７３ａ、外部接続端子７１ｂ，７２ｂ，７３ｂ）、レンズ８０（開口部８１、取付部８２、係合孔８３）、雄ネジ９１，９２、スライドスイッチＳＷなどを備えたスイッチ一体型照明装置である。
照明装置１０は、自動車の車載バッテリ（外部電源）から直流電源が供給され、自動車の車両室内に設置されてルームランプまたはマップランプとして用いられる。
【００１８】
図１〜図３に示すように、光源モジュール２０は、矩形平板状のベース部２１と、ベース部２１の上面側（表面側）から露出したＬＥＤ２２と、ベース部２１の下面側（裏面側）から露出したプラス側接点２３およびマイナス側接点（アース接点）２４を備える。
ＬＥＤ２２は矩形平板状を成し、ベース部２１の略中央左寄りに搭載（実装）されている。
【００１９】
図１〜図３に示すように、ベース部２１は絶縁性を有する合成樹脂材料の射出成形により一体形成されている。
ベース部２１の左右両端にはそれぞれ、ベース部２１の面方向に取付部２１ａ，２１ｂが突設されている。
各取付部２１ａ，２１ｂにはそれぞれ、ベース部２１の面方向に対して垂直方向に取付孔２１ｃ，２１ｄが貫通形成されている。
【００２０】
図２および図３に示すように、プラス側接点２３は矩形状を成し、ベース部２１の左端近傍に配置形成されている。
マイナス側接点２４は、プラス側接点２３よりも長尺な矩形状を成し、プラス側接点２３の右側に間隙を空けて平行に配置形成されている。
プラス側接点２３およびマイナス側接点２４はそれぞれ、ベース部２１内にインサート成形されたバスバー（図示略）を介し、ＬＥＤ２２に対して電気的に接続されている。
【００２１】
図１，図２，図４，図５に示すように、スイッチノブ３０は、ツマミ部３１およびスライド部３２を備え、絶縁性を有する合成樹脂材料の射出成形により一体形成されている。
略矩形平板状のスライド部３２は、ツマミ部３１の下端に接続され、スライド方向を含む面内のスライド方向とは垂直な向きに突出している。
スライド部３２におけるツマミ部３１の近傍には、スライド方向（図１，図４，図５に示す矢印Ｓ，Ｓ’方向）に長い長円状のスライド孔３２ａが貫通形成されている。
【００２２】
図１，図２，図４，図５に示すように、スライド部３２には中継端子４０，５０が取付固定されており、中継端子４０はスライド孔３２ａの右側に配置され、中継端子５０は中継端子４０の右側に間隔を空けて平行に配置されている。
中継端子４０，５０は、弾性力が高く電気抵抗が低い金属材料（例えば、燐青銅合金、コルソン銅合金、ベリリウム銅合金など）の板材のプレス成形により折り曲げ形成されている。
【００２３】
図１，図２，図４，図５に示すように、中継端子４０は、モジュール側端子４１、ケース側端子４２、接点４３，４４、接続端子４５，４６を備える。
モジュール側端子４１とケース側端子４２は同一形状であり、モジュール側端子４１はスライド部３２の上面側に取付固定され、ケース側端子４２はスライド部３２の下面側に取付固定されている。
【００２４】
図１，図２，図４，図５に示すように、接続端子４５，４６はそれぞれスライド部３２の突出した２つの角部分の端面に当接して配置され、モジュール側端子４１とケース側端子４２は接続端子４５，４６によって接続されている。
すなわち、各端子４１，４５，４６，４２はコ字状に折り曲げられ、モジュール側端子４１とケース側端子４２とでスライド部３２が挟持されている。
そのため、スライド部３２に対して中継端子４０を確実に取付固定することができる。
【００２５】
図１，図２，図４，図５に示すように、モジュール側端子４１およびケース側端子４２はスライド方向（図１，図４，図５に示す矢印Ｓ，Ｓ’方向）に長い略Ｉ字状であり、モジュール側端子４１の中央部には接点４３が突設され、ケース側端子４２の中央部には接点４４が突設されている。
接点４３，４４は、中継端子４０の板材が山形に折り曲げ加工されることにより形成されている。
【００２６】
図１，図２，図４，図５に示すように、中継端子５０は、モジュール側端子５１、ケース側端子５２、接点５３，５４、接続端子５５を備える。
モジュール側端子５１とケース側端子５２は同一形状であり、モジュール側端子５１はスライド部３２の上面側に取付固定され、ケース側端子５２はスライド部３２の下面側に取付固定されている。
【００２７】
図１，図２，図４，図５に示すように、接続端子５５はスライド部３２の右端面に当接して配置され、モジュール側端子５１とケース側端子５２は接続端子５５によって接続されている。
すなわち、各端子５１，５５，５２はコ字状に折り曲げられ、モジュール側端子５１とケース側端子５２とでスライド部３２が挟持されている。
そのため、スライド部３２に対して中継端子５０を確実に取付固定することができる。
【００２８】
図１，図２，図４，図５に示すように、モジュール側端子５１およびケース側端子５２はスライド方向（図１，図４，図５に示す矢印Ｓ，Ｓ’方向）に長い略矩形環状であり、モジュール側端子５１における接続端子５５と接続されていない側の辺の中央部には接点５３が突設され、ケース側端子５２における接続端子５５と接続されていない側の辺の中央部には接点５４が突設されている。
接点５３，５４は、中継端子５０の板材が山形に折り曲げ加工されることにより形成されている。
【００２９】
図１，図２，図６に示すように、ロアケース（ハウジング）６０は、上方が開放された略直方体箱状を成し、係合爪６１および取付部６２，６３を備え、絶縁性を有する合成樹脂材料の射出成形により一体形成されている。
４個の係合爪６１は、ロアケース６０の外周壁面に突設されている。
円柱状の取付部６２，６３はロアケース６０の底面側から突設され、取付部６２，６３のそれぞれ上面には雌ネジ穴６２ａ，６３ａが螺設されている。
【００３０】
図１，図２，図６に示すように、バスバー（リードフレーム）７１〜７３はロアケース６０にインサート成形されており、バスバー７１〜７３におけるロアケース６０の底面側から露出した部分により接点７１ａ，７２ａ，７３ａが形成されている。
また、ロアケース６０の下面側から突出したバスバー７１〜７３の先端部により外部接続端子７１ｂ，７２ｂ，７３ｂが形成されている。
バスバー７１〜７３は、電気抵抗が低い金属材料（例えば、真鍮、純銅など）の板材のプレス成形により折り曲げ形成されている。
【００３１】
接点７１ａ，７２ａは矩形状を成し、スライド方向（図６に示す矢印Ｓ，Ｓ’方向）に間隔を空けて並置されている。
接点７３ａは接点７１ａ，７２ａよりも長尺な矩形状を成し、接点７１ａ，７２ａの右側に間隙を空けて平行に配置されている。
【００３２】
図１に示すように、レンズ８０は略矩形平板状を成し、左側に貫通形成された矩形状の開口部８１と、外周縁から下向きに突設された４個の取付部８２と、取付部８２に貫通形成された４個の係合孔８３とを備え、透明な合成樹脂材料の射出成形により一体形成されている。
【００３３】
［照明装置１０の組み立て方（図１〜図６参照）］
まず、ロアケース６０内にスイッチノブ３０のスライド部３２を収容し、スライド部３２のスライド孔３２ａにロアケース６０の取付部６２を挿通させる。
次に、スライド部３２に被せるように、ＬＥＤ２２を上に向けた状態で光源モジュール２０をロアケース６０内に収容する。
【００３４】
続いて、光源モジュール２０のベース部２１の取付部２１ａ，２１ｂの取付孔２１ｃ，２１ｄと、ロアケース６０の取付部６２，６３の雌ネジ穴６２ａ，６３ａとを合致させた状態で、取付部２１ａ，２１ｂの上方から取付孔２１ｃ，２１ｄに挿通した雄ネジ９１，９２を、雌ネジ穴６２ａ，６３ａに螺着させる。
その結果、ロアケース６０に対して光源モジュール２０が位置決めされた状態で、ロアケース６０に光源モジュール２０が取付固定される。
【００３５】
その後、ロアケース６０にレンズ８０を被着し、スイッチノブ３０のツマミ部３１をレンズ８０の開口部８１から突出させた状態で、ロアケース６０の４個の係合爪６１を、レンズ８０の４個の取付部８２の係合孔８３にそれぞれ引っ掛けて係合させることにより、ロアケース６０にレンズ８０を取付固定すれば、照明装置１０の組み立てが完成する。
【００３６】
［照明装置１０の使い方（図１〜図９参照）］
図７〜図９に示すように、照明装置１０のスライドスイッチＳＷは、光源モジュール２０（ＬＥＤ２２、プラス側接点２３、マイナス側接点２４）、中継端子４０（モジュール側端子４１、ケース側端子４２、接点４３，４４）、中継端子５０（モジュール側端子５１、ケース側端子５２、接点５３，５４）、バスバー７１〜７３（接点７１ａ，７２ａ，７３ａ、外部接続端子７１ｂ，７２ｂ，７３ｂ）を備える。
【００３７】
そして、スライドスイッチＳＷは、図７に示す第１オン状態（第１導通状態）では、バスバー７１の接点７１ａと光源モジュール２０のプラス側接点２３とが、中継端子４０を介して電気的に接続される。
また、図８に示す第２オン状態（第２導通状態）では、バスバー７２の接点７２ａと光源モジュール２０のプラス側接点２３とが、中継端子４０を介して電気的に接続される。
【００３８】
また、図９に示すオフ状態（非導通状態）では、光源モジュール２０のプラス側接点２３が、オープン状態（中継端子４０およびバスバー７１，７２の接点７１ａ，７２ａのいずれとも接続していない状態）にされる。
尚、図７〜図９に示すように、第１オン状態，第２オン状態，オフ状態のいずれにおいても、バスバー７３の接点７３ａと光源モジュール２０のマイナス側接点２４とが、中継端子５０を介して電気的に接続されている。
【００３９】
ここで、スライドスイッチＳＷは、スイッチノブ３０を第１スライド位置（図１，図４〜図９に示す矢印Ｓ方向）にスライドさせると第１オン状態（図７）になり、スイッチノブ３０を第３スライド位置（図１，図４〜図９に示す矢印Ｓ’方向）にスライドさせるとオフ状態（図９）になり、スイッチノブ３０を第２スライド位置（第１スライド位置と第３スライド位置の中間位置）にスライドさせると第２オン状態（図８）になる。
【００４０】
ロアケース６０の下面側から突出したバスバー７１〜７３の先端部から成る外部接続端子７１ｂ，７２ｂ，７３ｂ（図２参照）には、車載バッテリ（図示略）の給電ケーブル（図示略）が接続される。
そして、外部接続端子７１ｂ，７２ｂは車載バッテリのプラス側に接続され、外部接続端子７３ｂは車載バッテリのマイナス側に接続されると共に車体アースに接続されている。
【００４１】
そのため、スライドスイッチＳＷを第１スライド位置（第１オン状態：図７）または第２スライド位置（第２オン状態：図８）にすると、車載バッテリから光源モジュール２０のＬＥＤ２２へ直流電源が供給され、ＬＥＤ２２が点灯状態になる。
また、スライドスイッチＳＷを第３スライド位置（オフ状態：図９）にすると、車載バッテリから光源モジュール２０のＬＥＤ２２へ供給される直流電源が遮断され、ＬＥＤ２２が消灯状態になる。
【００４２】
例えば、外部接続端子７１ｂを、車両のドアの開閉を検出する開閉検出スイッチの回路を介して、車載バッテリのプラス側に接続した場合には、スライドスイッチＳＷを第１スライド位置にすると、車両のドアの開閉と連動させてＬＥＤ２２の点灯・消灯を切り替えることができる。
また、外部接続端子７２ｂを、車載バッテリのプラス側に直接接続した場合には、スライドスイッチＳＷを第２スライド位置にすると、車両のドアの開閉に関係なく、ＬＥＤ２２を点灯させることができる。
このように、スライドスイッチＳＷを２回路３接点構成にすることにより、ドア連動機能とドア非連動機能の両方を備えたスイッチ一体型の照明装置１０を実現できる。
【００４３】
［照明装置１０の接続構造（図１〜図９参照）］
図２に示すように、スイッチノブ３０のスライド部３２の上面側に取付固定された中継端子４０のモジュール側端子４１は、光源モジュール２０の下面側と対向している。
そのため、第１スライド位置（第１オン状態：図７）および第２スライド位置（第２オン状態：図８）では、光源モジュール２０の下面側に配置形成されたプラス側接点２３と、モジュール側端子４１の接点４３とが接触し、接点４３の弾性力によりプラス側接点２３へ印加される付勢力（押圧力）により、プラス側接点２３に対して接点４３が押し当てられて電気的に接続される。
【００４４】
図２に示すように、スイッチノブ３０のスライド部３２の下面側に取付固定された中継端子４０のケース側端子４２は、ロアケース６０の底面側と対向している。
そのため、第１スライド位置（第１オン状態：図７）では、ロアケース６０の底面側から露出されたバスバー７１の接点７１ａと、ケース側端子４２の接点４４とが接触し、接点４４の弾性力により接点７１ａへ印加される付勢力により、接点７１ａに対して接点４４が押し当てられて電気的に接続される。
また、第２スライド位置（第２オン状態：図８）では、ロアケース６０の底面側から露出されたバスバー７２の接点７２ａと、ケース側端子４２の接点４４とが接触し、接点４４の弾性力により接点７２ａへ印加される付勢力により、接点７２ａに対して接点４４が押し当てられて電気的に接続される。
【００４５】
図２に示すように、スイッチノブ３０のスライド部３２の上面側に取付固定された中継端子５０のモジュール側端子５１は、光源モジュール２０の下面側と対向している。
そのため、第１〜第３スライド位置（図７〜図９）のいずれでも、光源モジュール２０の下面側に配置形成されたマイナス側接点２４と、モジュール側端子５１の接点５３とが接触し、接点５３の弾性力によりマイナス側接点２４へ印加される付勢力により、マイナス側接点２４に対して接点５３が押し当てられて電気的に接続される。
【００４６】
図２に示すように、スイッチノブ３０のスライド部３２の下面側に取付固定された中継端子５０のケース側端子５２は、ロアケース６０の底面側と対向している。
そのため、第１〜第３スライド位置（図７〜図９）のいずれでも、ロアケース６０の底面側から露出されたバスバー７３の接点７３ａと、ケース側端子５２の接点５４とが接触し、接点５４の弾性力により接点７３ａへ印加される付勢力により、接点７３ａに対して接点５４が押し当てられて電気的に接続される。
【００４７】
尚、各接点２３，２４，４３，４４，５３，５４，７１ａ，７２ａ，７３ａの表面には、耐摩耗性を向上させると共に摩擦抵抗を低減させるために、金属めっき（例えば、スズめっき、亜鉛めっき、クロムめっき、ロジウムめっき等）が施されている。
また、各接点２３，２４，４３，４４，５３，５４，７１ａ，７２ａ，７３ａの間には、摩擦抵抗を低減させると共に、接触抵抗を低減させて電気的接続を良好にするために、導電性グリスが塗布されている。
【００４８】
［実施形態の作用・効果］
本実施形態の照明装置１０によれば、以下の作用・効果を得ることができる。
【００４９】
［１］照明装置１０は、ＬＥＤ２２（光源）と電気的に接続された接点２３，２４（光源用接点）と、スライド式のスイッチノブ３０に設けられた中継端子４０，５０の接点４３，４４，５３，５４（中継用接点）と、ロアケース６０に設けられたバスバー７１〜７３の接点７１ａ，７２ａ，７３ａ（ケース用接点）とを備え、接点７１ａ，７２ａ，７３ａは外部接続端子７１ｂ，７２ｂ，７３ｂと電気的に接続されている。
【００５０】
ここで、スイッチノブ３０はロアケース６０に対してスライド自在に取り付けられ、スイッチノブ３０の前記第１〜第３スライド位置に対応して、光源モジュール２０の接点２３，２４とバスバー７１〜７３の接点７１ａ，７２ａ，７３ａとが中継端子４０，５０の接点４３，４４，５３，５４を介して電気的に接続される。
そして、各接点２３，２４，４３，４４，５３，５４，７１ａ，７２ａ，７３ａは、ロアケース６０の厚み方向（図１および図２に示す矢印Ｄ，Ｄ’方向）に重なるように配置形成されているため、ロアケース６０の厚み方向に対して垂直な方向の寸法を小さくすることが可能であり、照明装置１０を小型化できる。
【００５１】
また、ＬＥＤ２２は、光源モジュール２０のベース部２１を介してロアケース６０に取付固定されている。
そして、スイッチノブ３０がロアケース６０および光源モジュール２０に対してスライドするため、ＬＥＤ２２に過剰な力が印加されて故障を起こすのを防止可能であり、照明装置１０の信頼性を高めることができる。
【００５２】
［２］光源モジュール２０の接点２３，２４（光源用接点）と、中継端子４０，５０の接点４３，４４，５３，５４（中継用接点）と、バスバー７１〜７３の接点７１ａ，７２ａ，７３ａ（ケース用接点）とを結ぶ軸上から離れた箇所に、光源モジュール２０のベース部２１に搭載されたＬＥＤ２２（光源）が配置形成されている。
【００５３】
そのため、スイッチノブ３０の操作時における各接点２３，２４，４３，４４，５３，５４，７１ａ，７２ａ，７３ａの振動や、スイッチノブ３０のクリック感を出すための機構（図示略）の振動に伴って発生する応力が、当該各接点を結ぶ軸上から離れた箇所に配置形成されているＬＥＤ２２には印加され難いため、光源に過剰な力が印加されて故障を起こすのを更に確実に防止可能であり、第１の局面の作用・効果を高めることができる。
【００５４】
［３］光源モジュール２０は、平板状のベース部２１と、ベース部２１の表面側に搭載されたＬＥＤ２２（光源）と、ベース部２１の裏面側に配置形成されたプラス側接点２３およびマイナス側接点２４（光源用接点）とを備え、ベース部２１はロアケース６０に取付固定されている。
スイッチノブ３０は、平板状のスライド部３２と、スライド部３２の両面側に配置形成された中継端子４０，５０の接点４３，４４，５３，５４（中継用接点）とを備える。
バスバー７１〜７３の接点７１ａ，７２ａ，７３ａ（ケース用接点）は、光源モジュール２０の裏面側に配置形成された接点２３，２４（光源用接点）と対向する位置に配置形成されている。
そのため、前記［１］［２］の作用・効果が確実に得られる。
【００５５】
［４］スイッチノブ３０のスライド部３２の表面側から光源モジュール２０の接点２３，２４（光源用接点）に向かって第１方向に突出した中継端子４０，５０の接点４３，５３（第１接点部）と、スライド部３２の裏面側からバスバー７１〜７３の接点７１ａ，７２ａ，７３ａ（ケース用接点）に向かって第２方向に突出した中継端子４０，５０の接点４４，５４（第２接点部）とを備え、第１方向と第２方向とは、互いに逆向きであると共に、スイッチノブ３０のスライド方向（図１，図４〜図６に示す矢印Ｓ，Ｓ’方向）に対して垂直方向であり、接点４３と接点４４は同一軸上に配置され、接点５３と接点５４は同一軸上に配置されている。
【００５６】
そのため、光源モジュール２０の接点２３，２４およびバスバー７１〜７３の接点７１ａ，７２ａ，７３ａに対して、中継端子４０，５０の接点４３，５３，４４，５４（中継用接点）を傾かせることなく確実に接触させることが可能であり、当該各接点の電気的接続を良好にすることができる。
【００５７】
［５］中継端子４０，５０は、弾性力が高い金属材料の板材（弾性板材）を光源モジュール２０の接点２３，２４（光源用接点）に向かって山形に折り曲げて形成された接点４３，５３（第１ばね部）と、金属材料の板材をバスバー７１〜７３の接点７１ａ，７２ａ，７３ａ（ケース用接点）に向かって山形に折り曲げて形成された接点４４，５４（第２ばね部）とを備える。
【００５８】
そして、接点４３，５３（第１ばね部）の弾性力によって光源モジュール２０の接点２３，２４（光源用接点）へ印加される付勢力により、各接点２３，２４に各接点４３，５３を接触させて電気的に接続する。
また、接点４４，５４（第２ばね部）の弾性力によってバスバー７１〜７３の接点７１ａ，７２ａ，７３ａ（ケース用接点）へ印加される付勢力により、各接点７１ａ，７２ａに接点４４を接触させて電気的に接続する共に、接点７３ａに接点５４を接触させて電気的に接続する。
【００５９】
そのため、光源モジュール２０の接点２３，２４およびバスバー７１〜７３の接点７１ａ，７２ａ，７３ａに対して、中継端子４０，５０の接点４３，５３，４４，５４を更に確実に接触させることが可能であり、前記［４］の作用・効果を高めることができる。
【００６０】
＜別の実施形態＞
本発明は前記実施形態に限定されるものではなく、以下のように具体化してもよく、その場合でも、前記実施形態と同等もしくはそれ以上の作用・効果を得ることができる。
【００６１】
［１］ＬＥＤ２２は、どのような光源（例えば、有機ＥＬチップなどの半導体発光素子、電球など）に置き換えてもよい。
【００６２】
［２］バスバー７１〜７３は、金属材料に限らずどのような導電性材料（例えば、導電性合成樹脂など）の板材によって形成してもよい。
中継端子４０，５０は、金属材料に限らず、弾性力を有する導電性材料であれば、どのような導電性材料（例えば、導電性合成樹脂など）の板材によって形成してもよい。
【００６３】
本発明は、前記各局面および前記実施形態の説明に何ら限定されるものではない。特許請求の範囲の記載を逸脱せず、当業者が容易に想到できる範囲で種々の変形態様も本発明に含まれる。本明細書の中で明示した公報などの内容は、その全ての内容を援用によって引用することとする。
【符号の説明】
【００６４】
１０…照明装置
２０…光源モジュール
２１…ベース部
２１ａ，２１ｂ…取付部
２１ｃ，２１ｄ…取付孔
２２…ＬＥＤ（光源）
２３…プラス側接点（光源用接点）
２４…マイナス側接点（光源用接点）
３０…スイッチノブ
３２…スライド部
４０…中継端子４０
４１…モジュール側端子
４２…ケース側端子
４３…接点（中継用接点、第１接点部、第１ばね部）
４４…接点（中継用接点、第２接点部、第２ばね部）
５０…中継端子
５１…モジュール側端子
５２…ケース側端子
５３…接点（中継用接点、第１接点部、第１ばね部）
５４…接点（中継用接点、第２接点部、第２ばね部）
６０…ロアケース
６２，６３…取付部
６２ａ，６３ａ…雌ネジ穴
７１〜７３…バスバー
７１ａ，７２ａ，７３ａ…接点（ケース用接点）
７１ｂ，７２ｂ，７３ｂ…外部接続端子
ＳＷ…スライドスイッチ
【図１】
2014094678.tif 000003
【図２】
2014094678.tif 000004
【図３】
2014094678.tif 000005
【図４】
2014094678.tif 000006
【図５】
2014094678.tif 000007
【図６】
2014094678.tif 000008
【図７】
2014094678.tif 000009
【図８】
2014094678.tif 000010
【図９】
2014094678.tif 000011